(57)【要約】【課題】  身体の動きを拘束せず、保温力をも備えたナイトウェアを提供すること。【解決手段】  裏面の一部に裏布４ａを設ける。肩から胸部にかけて裏布４ａを設けることがある。上衣とズボンとから成るパジャマであれば、腹部及び腰部を被覆する裏布をズボンのウェスト口の全長に亘って取り付けても良い。また、上衣の前身頃及び後身頃の裏面に裏布を設け、袖刳り部よりも下方において、前身頃及び後身頃と裏布とを分離しても良い。【選択図】          図１
0003112374.tif 000002
【実用新案登録請求の範囲】
【請求項１】
裏面の一部に裏布を設けたことを特徴とするナイトウェア。
【請求項２】
肩から胸部にかけて裏布を設けた請求項１に記載のナイトウェア。
【請求項３】
上衣とズボンとから成り、腹部及び腰部を被覆する裏布を前記ズボンのウェスト口の全長に亘って取り付けた請求項１又は２に記載のナイトウェア。
【請求項４】
上衣とズボンとから成り、前記上衣の前身頃及び後身頃の裏面に裏布を設け、袖刳り部よりも下方において、前記前身頃及び後身頃と裏布とを分離した請求項１又は３に記載のナイトウェア。
【考案の詳細な説明】
【技術分野】
【０００１】
本考案は、パジャマ、ネグリジェ等のナイトウェアに関する。
【背景技術】
【０００２】
一般的に、ネグリジェ、パジャマ等のナイトウェアは裏布を有していない。これは、寝るときには、身体の線が透けて見えても差し支えがないので、手間をかけて裏布を付ける必要はないという理由、及び、裏布を装着すると、身体の動きが制限されて寝心地が悪いという理由による。
しかし、ナイトウェア全体を一重の布で形成すると保温力が低いので、寒い時期には身体の冷えやすい部分が暖まらなかったり、暑い時期には寝冷えする虞がある。
【考案の開示】
【考案が解決しようとする課題】
【０００３】
本考案が解決しようとする課題は、身体の動きを拘束せず、保温力をも備えたナイトウェアを提供することにある。
【課題を解決するための手段】
【０００４】
本考案のナイトウェアは、裏面の一部に裏布を設けてある。
肩から胸部にかけて裏布を設けることがある。
上衣とズボンとから成るパジャマの場合には、腹部及び腰部を被覆する裏布を前記ズボンのウェスト口の全長に亘って取り付けることがある。
また、上衣とズボンとから成るパジャマでは、前記上衣の前身頃及び後身頃の裏面に裏布を設け、袖刳り部よりも下方において、前記前身頃及び後身頃と裏布とを分離することがある。
【考案の効果】
【０００５】
請求項１に係る考案によれば、身体の冷えやすい部位を裏布で覆うことができるので、寒さや寝冷えを防ぐことができ、裏布の形状も、裏面全体に装着するものと比較して簡単で、取付けが容易であり、裏布によって身体の動きが拘束される心配もない。
請求項２に係る考案によれば、裏布で肩部を被覆してその冷えを防止することができ、乳房部が透けて見えることがない。
請求項３に係る考案によれば、腹部及び腰部の冷えを防ぐ。
請求項４に係る考案によれば、裏布を前身頃及び後身頃の裏面に設けたことによって保温性が高まるだけでなく、裏布裾をズボンの中に差込み、前身頃及び後身頃の裾をズボンの外に露出させて着用できるので、体熱を逃がしにくくていっそう保温力が高まり、体裁もよい。
【考案を実施するための最良の形態】
【０００６】
本考案のナイトウェアは、裏面の一部のみに裏布を設けて成る。
以下、本考案の実施例を図面に基づいて詳細に説明する。
【実施例１】
【０００７】
図１乃至図３は、本考案の実施例１を示し、図１は、ナイトウェアの斜視図、図２は、ナイトウェアの前部裏面図、図３は、ナイトウェアの背部裏面図である。
本実施例のナイトウェアは、パジャマ或いはネグリジェであり、前身頃１、後身頃２及び両側の袖３を有する。
前身頃１、後身頃２及び袖３の構造及び材質は、従来のものとほぼ同様なので、特に説明しない。
【０００８】
前身頃１の裏面上部及び後身頃２の裏面上部には裏布４ａが設けられる。裏布４ａは、綿を含んだ吸湿性の高い布とするのが望ましい。
また、裏布４ａの長さ（上下方向の寸法）は、後身頃２側では短いが、前身頃１側ではこれより長く形成され、肩から胸部にかけて装着されている。
そして、裏布４ａは、肩縫い部、袖付け部、襟付け部、及び脇縫い部において前身頃１及び後身頃２に縫いつけてある。また、前面側の裏布４ａの下端は、前身頃１から分離している。
【０００９】
なお、本実施例では、後身頃２の上寄りに、模様の異なる布などを縫い合わせた接ぎ合わせ部５があるため、この接ぎ合わせ部５に背面側の裏布４ａの下端部を縫いつけてあるが、後身頃２を上端から下端まで連続した布で形成してあって、接ぎ合わせ部５が無い場合には、裏布４ａの下端を後身頃２から分離しても良い。
このナイトウェアによれば、肩部及び胸部が二重になっているので、肩の冷えを防ぐと共に、乳房部が透けて見えるのを防ぐことができる。
【実施例２】
【００１０】
図４及び図５は、上衣とズボン６とから成るパジャマである実施例２を示す。図４は、ズボン６の前部裏面図、図５は、ズボン６の背部裏面図である。
上衣は、一般的なパジャマの上衣と同じか、図１乃至図３に記載のものとすることができる。
ズボン６の前部及び背部の上部寄りには、模様の異なる布などを接合した接ぎ合わせ部５’が周方向全長に亘って形成され、接ぎ合わせ部５’よりも上方の裏面に、腹部及び腰部を覆う裏布４ｂが設けられる。
【００１１】
裏布４ｂは、実施例１の裏布４ａと同様の布を環状に形成して成る。
また、裏布４ｂの上縁は、ズボン６のウェスト口９に周方向全長に亘って取り付けられると共に、下端は、接ぎ合わせ部５’へ縫いつけられている。
このナイトウェアによれば、ズボン６の腹部及び腰部が二重になっているので、冷えやすい腹部及び腰部を保温することができる。
【実施例３】
【００１２】
図６は、上衣８及びズボンから成るパジャマに係る実施例３において、上衣８の斜視図である。
ズボンは、一般的なパジャマのズボンと同様か、図４及び図５に示すズボン６と同様の構造を有する。
上衣８の前身頃１及び後身頃２の裏面に裏布４ｃが設けられる。裏布４ｃは、吸湿性に富んだ布から成り、前身頃１及び後身頃２のほぼ全面に亘って設けられる。勿論、裏布４ｃの長さは、前身頃１及び後身頃２の長さよりもやや短くなっている。
【００１３】
裏布４ｃは、袖刳り部７よりも上方においては、接ぎ合わせ部５、袖刳り部７等の適宜個所で、前身頃１及び後身頃２に縫いつけられているが、袖刳り部７よりも下方では前身頃１及び後身頃２から分離している。
このナイトウェアは、前身頃１及び後身頃２の裏面のほぼ全面に裏布４ｃを設けてあるので、保温性が高いが、袖３には裏布がないので、腕や肩の運動を阻害しない。
また、裏布４ｃの下部は前身頃１及び後身頃２から分離しているので、裏布４ｃの裾をズボンの中に差し込んで、前身頃１及び後身頃２の裾をズボンの外に露出させることができる。この結果、体熱を逃がさないのでさらに保温性が高まり、しかも、体裁がよい。
【図面の簡単な説明】
【００１４】
【図１】実施例１を示すナイトウェアの斜視図。
【図２】実施例１を示すナイトウェアの前部裏面図。
【図３】実施例１を示すナイトウェアの背部裏面図。
【図４】実施例２に係るズボンの前部裏面図。
【図５】実施例２に係るズボンの背部裏面図。
【図６】実施例３に係る上衣の斜視図。
【符号の説明】
【００１５】
１  前身頃
２  後身頃
３  袖
４ａ，４ｂ，４ｃ  裏布
５，５’  接ぎ合わせ部
６  ズボン
７  袖刳り部
８  上衣
９  ウェスト口
【図１】
0003112374.tif 000003
【図２】
0003112374.tif 000004
【図３】
0003112374.tif 000005
【図４】
0003112374.tif 000006
【図５】
0003112374.tif 000007
【図６】
0003112374.tif 000008